(57)【要約】      （修正有）【課題】床下スペースを有効に活用しながら十分な換気ができるとともに、炭の浄化・調湿機能を効率的に発揮させることができる床下チャンバー式炭パワークリーンシステムを提供する。【解決手段】本発明に係る床下チャンバー式炭パワークリーンシステムは、住宅の床下に設けられた床下チャンバー２を用いた床下チャンバー式炭パワークリーンシステム１であって、床下チャンバー２と、外気導入ダクト７を介して取り入れた外気を給気ダクト５を介して床下チャンバー２に給気する換気装置３とを有し、床下チャンバー２には、炭４が床下チャンバー２内の中空位置に配置されており、炭４によって浄化・調湿された空気を室内へ吹き出す吹出口６が備えられている。【選択図】図１
2013257122.tif 000002
【特許請求の範囲】
【請求項１】
住宅の床下に設けられた床下チャンバーを用いた床下チャンバー式炭パワークリーンシステムであって、
床下チャンバーと、外気導入ダクトを介して取り入れた外気を給気ダクトを介して前記床下チャンバーに給気する換気装置とを有し、
前記床下チャンバーには、炭が前記床下チャンバー内の中空位置に配置されており、前記炭によって浄化・調湿された空気を室内へ吹き出す吹出口が備えられている床下チャンバー式炭パワークリーンシステム。
【請求項２】
前記床下チャンバーには、前記炭を前記床下チャンバー内の中空位置に載置する載置台が設けられており、前記載置台の天板が網目状に形成されている請求項１に記載の床下チャンバー式炭パワークリーンシステム。
【請求項３】
前記住宅は鉄筋コンクリート構造であって、前記住宅内の各部屋ごとに前記床下チャンバーが設けられている請求項１または請求項２に記載の床下チャンバー式炭パワークリーンシステム。
【請求項４】
前記床下チャンバーは、前記各部屋に設けられたクローゼットまたは押入れ等の収納室の床下に設けられている請求項３に記載の床下チャンバー式炭パワークリーンシステム。
【請求項５】
前記吹出口は、前記収納室の収納口近傍の床面に開口されている請求項４に記載の床下チャンバー式炭パワークリーンシステム。
【請求項６】
前記換気装置は、前記室内空気を前記住宅内の天井面に設けられた吸気口から吸気ダクトを介して吸気するとともに、前記外気導入ダクトから導入された前記外気と前記室内空気との間で熱交換させた後、前記室内空気を排気ダクトを介して室外へ排出する請求項１から請求項５のいずれかに記載の床下チャンバー式炭パワークリーンシステム。
【請求項７】
室外に連通する前記外気導入ダクトの外気導入口および前記外気導入ダクトが接続される前記換気装置の導入口には、花粉・粉塵等除去フィルターが設けられている請求項１から請求項６のいずれかに記載の床下チャンバー式炭パワークリーンシステム。
【請求項８】
室外に連通する前記排気ダクトの排気口は、前記外気導入口が設けられた壁面と対向する反対側の壁面に設けられている請求項７に記載の床下チャンバー式炭パワークリーンシステム。
【発明の詳細な説明】
【技術分野】
【０００１】
室外から導入された外気を浄化・調湿して室内に送風し、室内を循環した後の室内空気を外部へ排出する空調換気システムであって、特に床下にチャンバーを設けて炭により浄化・調湿するのに好適な床下チャンバー式炭パワークリーンシステムに関するものである。
【背景技術】
【０００２】
近年の建物は、高気密・高断熱化が進んだことにより、建物内からの排気と建物内への給気とを適切に行う全般換気を行う設備が必須となっている。全般換気の目的は、建物内の適切な室内環境を維持するために、必要な換気量を絶えず確保し、建物内で発生するハウスダスト等の汚染物質を排出し、新鮮な室外空気を取り入れることにある。
【０００３】
従来の空調換気システムとしては、例えば、特開２００９−２５０５７６号公報には、各居室の天井裏をチャンバーとして構成し、そのチャンバー内に竹炭入りの不織布製パッケージを敷き詰めておき、そのチャンバー内に空調機からの空気をダクトにて吹き出させ、炭によって浄化・調湿された空気を天井面に設けたグリルより居室内に導入されるシステムが開示されている（特許文献１）。
【０００４】
また、特開平１１−４４４３５号公報には、熱交換された外気をダクトを介して床下に形成された空気流路へ送風すると共に室内の空気を天井に設置された吸込ダクトを介して前記熱交換型換気扇に送風する空調換気装置と、床下に送風され床暖房に供される空気を室内に吹き出す、室内角の床板に穿設された温風吹出口とを備えた空気循環式空調型床暖房システムハウスが開示されており、床下に設けられた空気流路に木炭、木片、砕石またはこれらの混合物を敷き詰めることが開示されている（特許文献２）。
【０００５】
さらに、特許第３４８８９２１号公報には、二階建家屋に構成された家屋本体において、一階空間と二階空間との間に設けられた天井裏空間に外気導入装置によって外気を導入することにより、外気を浄化用吸着体に接触させて浄化し、浄化した空気は天井裏空間との差圧により通気口を介して一階空間及び二階空間を含む家屋本体内に流動させるようにしてなる空気浄化式家屋が開示されている（特許文献３）。
【先行技術文献】
【特許文献】
【０００６】
【特許文献１】特開２００９−２５０５７６号公報
【特許文献２】特開平１１−４４４３５号公報
【特許文献３】特許第３４８８９２１号公報
【発明の概要】
【発明が解決しようとする課題】
【０００７】
しかしながら、特許文献１に記載された発明においては、各居室の天井裏をチャンバーとして構成しているため、特に、本州の集合住宅等のように天井裏のスペースが十分にない建物には適さないという問題がある。
【０００８】
一方、特許文献２に記載された発明においては、床下に設けられた空気流路に木炭等を配置しているが、木炭を空気流路の底に敷き詰めているため、下の方に配置された木炭は十分に浄化・調湿効果を発揮できず、使用する木炭の量を多くしなければならないという問題がある。
【０００９】
さらに、特許文献３に記載された発明では、木造の二階建家屋に適用対象が絞られているため、鉄筋コンクリート構造の住宅とは異なり気密性が低く、別途、複数枚の気密シートを家屋全体に渡って設けなければならないという問題がある。また、通気用ダクトを一切配設せず、天井裏空間全体に外気を導入し、当該天井裏空間と各部屋との差圧のみによって空気を流動させるため、通気性が悪いという問題もある。
【００１０】
本発明は、このような問題点を解決するためになされたものであって、床下スペースを有効に活用しながら十分な換気ができるとともに、炭の浄化・調湿機能を効率的に発揮させることができる床下チャンバー式炭パワークリーンシステムを提供することを目的としている。
【課題を解決するための手段】
【００１１】
本発明に係る床下チャンバー式炭パワークリーンシステムは、住宅の床下に設けられた床下チャンバーを用いた床下チャンバー式炭パワークリーンシステムであって、床下チャンバーと、外気導入ダクトを介して取り入れた外気を給気ダクトを介して床下チャンバーに給気する換気装置とを有し、床下チャンバーには、炭が床下チャンバー内の中空位置に配置されており、炭によって浄化・調湿された空気を室内へ吹き出す吹出口が備えられている。
【００１２】
また、本発明の一態様として、床下チャンバーには、炭を床下チャンバー内の中空位置に載置する載置台が設けられており、載置台の天板が網目状に形成されていることが好ましい。
【００１３】
さらに、本発明の一態様として、住宅は鉄筋コンクリート構造であって、住宅の各部屋ごとに床下チャンバーが設けられていることが好ましい。
【００１４】
さらに、本発明の一態様として、床下チャンバーは、各部屋に設けられたクローゼットまたは押入れ等の収納室の床下に設けられていてもよい。
【００１５】
また、吹出口は、収納室の収納口近傍の床面に開口されていてもよい。
【００１６】
換気装置は、室内空気を室内の天井面に設けられた吸気口から吸気ダクトを介して吸気するとともに、外気導入ダクトから導入された外気と室内空気との間で熱交換させた後、室内空気を排気ダクトを介して室外へ排出してもよい。
【００１７】
室外に連通する外気導入ダクトの外気導入口および外気導入ダクトが接続される換気装置の導入口には、花粉・粉塵等除去フィルターが設けられていてもよい。
【００１８】
室外に連通する排気ダクトの排気口は、外気導入口が設けられた壁面と対向する反対側の壁面に設けられていてもよい。
【発明の効果】
【００１９】
本発明によれば、床下スペースを有効に活用しながら十分な換気ができるとともに、炭の浄化・調湿機能を効率的に発揮させることができる。
【図面の簡単な説明】
【００２０】
【図１】本発明に係る床下チャンバー式炭パワークリーンシステムを住宅に適用した一実施形態を示す斜視図である。
【図２】本実施形態において、床下チャンバー式炭パワークリーンシステムを住宅に適用した状態を示す平面図である。
【図３】図２の３Ａ−３Ａ線断面図である。
【図４】本実施形態において、床下チャンバーを示す正面図である。
【図５】本実施形態において、床下チャンバーの一部を示す斜視図である。
【発明を実施するための形態】
【００２１】
以下、本発明に係る床下チャンバー式炭パワークリーンシステムの実施形態について図面を用いて説明する。
【００２２】
本実施形態の床下チャンバー式炭パワークリーンシステム１は、図１から図５に示すように、主として、鉄筋コンクリート構造の住宅の床下に設けられた床下チャンバー２と、取り入れた外気を床下チャンバー２に給気するとともに、各部屋の室内空気を室外へ排出する換気装置３とを有し、前記床下チャンバー２には、この床下チャンバー２内の中空位置に配置された炭４と、前記炭４によって浄化・調湿された空気を室内へ吹き出す吹出口６が備えられている。以下、各構成部について詳細に説明する。
【００２３】
本実施形態では、図１から図３に示すように、マンションのような集合住宅のうちの一戸であって、部屋１３を４室有する住宅に床下チャンバー式炭パワークリーンシステム１を適用した例を示す。
【００２４】
換気装置３には、図１から図３に示すように、室外に連通する外気導入ダクト７が接続されているとともに、この外気導入ダクト７を介して取り入れた外気を各部屋１３に設けられた各床下チャンバー２に給気する給気ダクト５が接続されている。この給気ダクト５は、換気装置３から各部屋１３の床下チャンバー２に向けて途中で４本に分岐して配管されている。
【００２５】
また、換気装置３には、図１から図３に示すように、室内空気を吸気する吸気ダクト８が接続されているとともに、吸気した室内空気を室外へ排気する排気ダクト９が接続されている。前記吸気ダクト８は、換気装置３から住宅内のユーティリティやトイレ等の天井面２箇所に設けられた吸気口８１に向けて途中で２本に分岐して配管されている。
【００２６】
さらに、換気装置３は、外気導入ダクト７から導入された外気と、吸気ダクト８から吸気した室内空気との間で熱交換させる機能を兼ね備えている。
【００２７】
また、本実施形態において、室外に連通する外気導入ダクト７の外気導入口７１、および外気導入ダクト７が接続される換気装置３の導入口（図示せず）には、図１から図３に示すように、花粉・粉塵（黄砂を含む）等を除去する花粉・粉塵等除去フィルター７２が設けられている。これにより、外気が外気導入ダクト７に取り入れられる前に花粉や粉塵を除去するうえ、換気装置３へ導入される前にも同様にフィルタリングするため、ほぼ完全にに花粉・粉塵等を除去することができるという利点がある。
【００２８】
換気装置３から室外に連通する排気ダクト９の排気口９１は、図１から図３に示すように、外気導入口７１が設けられた壁面と対向する反対側の壁面に設けられている。この構成により、排気口９１から排気した室内空気を再び外気導入口７１から取り入れてしまう可能性が極めて低くなり、常に新鮮な外気を取り入れることができる。
【００２９】
つぎに、床下チャンバー２は、図１から図４に示すように、各部屋１３の床下にそれぞれ配置されている。各床下チャンバー２には、換気装置３と連通する給気ダクト５の送風口５１が設けられており、前記換気装置３から給気された外気がこの送風口５１から床下チャンバー２内に送風されるようになっている。
【００３０】
また、床下チャンバー２には、図４および図５に示すように、炭４が載置台４１の上に載置されることによって前記床下チャンバー２内の中空位置に配置されている。なお、図５では、載置台４１を見やすくするため炭４は外形線のみとしている。載置台４１は、網目状ワイヤーを折り曲げて断面コの字型に形成して天板と脚部が構成されており、載置台４１に炭４を載置した際に、給気ダクト５の送風口５１正面に炭４が位置する高さに形成されていることが好ましい。なお、本実施形態の載置台４１は、送風された外気と炭４との接触面積をできるだけ大きくとるために、断面コの字型の網目状ワイヤーによって形成しているが、載置した炭４の下面からも送風された外気が接触する通気性の良い構造であれば、例えば天板のみが網目状に形成されている載置台４１でもよく、載置台４１の形状は本実施形態に限定されない。
【００３１】
また、本実施形態において、炭４は、不織布等の通気性収納袋に竹炭を粒状に破砕して充填することにより構成されている。しかしながら、炭４は、この構成に限定されるものではなく、空気を浄化・調湿する作用を有するものあれば、木炭や活性炭等の炭化物等でもよく、収納袋に充填されていなくてもよい。
【００３２】
さらに、床下チャンバー２の天面には、図１から図５に示すように、炭４を挟むようにして送風口５１から離間した位置に吹出口６が設けられており、炭４と接触することにより不純物や有害化学物質が除去され、浄化・調湿された空気がこの吹出口６から室内に向かって吹き出される。
【００３３】
また、床下チャンバー２は、図３および図４に示すように、各部屋１３の床下スペースを利用して形成されており、給気ダクト５の送風口５１および吹出口６以外から空気が流出入しないよう気密状態に閉塞されている。具体的には、図４に示すように、床下地材と床下チャンバー２の区画壁上部の間にクッション性のある樹脂パッキン材を挟むとともに、給気ダクト５の送風口５１の周囲には目地材などを充填してコーキングされている。
【００３４】
本実施形態では、床下チャンバー２は、図１から図４に示すように、各部屋１３に設けられたクローゼットや押入れ等の収納室１０の床下に設けられている。床下チャンバー２の吹出口６からこれらの収納室１０に吹き出された空気は、図４に示すように、収納室１０内に広がるとともに、収納室１０の収納ドア１１と床１２との隙間から部屋１３の中へ吹き出すようになっている。なお、本実施形態のように、吹出口６から吹き出した空気が直接肌に当たらないようにするため、床下チャンバー２は収納室１０の床下に設けられていることが好ましいが、床下チャンバー２の位置はこれに限定されない。
【００３５】
そして、収納室１０内に吹き出した空気がスムーズに部屋１３中に流入するよう、また収納室１０に収納される物によって吹出口６が塞がれないよう、吹出口６は収納口近傍の床面に形成されることが好ましい。さらには、吹き出された空気が十分に室内を循環するよう、吹出口６は各部屋１３の出入口から離間した位置に形成されることが好ましいが、吹出口６の形成位置はこれらに限定されない。また、本実施形態では、吹出口６に網目状の送風グリル６１が設けられており、物が落ちるのを防止するようになっている。
【００３６】
つぎに、本実施形態における床下チャンバー式炭パワークリーンシステム１の作用について説明する。
【００３７】
まず、換気装置３を作動させると、外気導入口７１から外気導入ダクト７を介して外気を取り入れるとともに、給気ダクト５を介して送風口５１から各部屋１３に設けられた床下チャンバー２内に送風される。このとき、外気導入口７１および換気装置３の導入口に設けられた花粉・粉塵等除去フィルターが、外気中の花粉や粉塵等を除去するため、部屋の中に花粉や粉塵等が吹き出されるのを効果的に防止する。
【００３８】
つづいて、床下チャンバー２内に送風された外気は、送風口５１正面に配置された炭４に十分に接触して浄化・調湿された後、吹出口６から収納室１０および部屋１３の中に吹き出される。これにより、不純物や有害化学物質が除去され、適度に調湿された新鮮な空気が各部屋１３へと供給されるため、住人にとって快適な居住空間が確保される。また、本実施形態では、床下チャンバー２内の中空位置に配置された炭４が、外気との接触面積を大きく確保されるため、少ない量で十分な浄化・調湿作用を奏する。さらに、本実施形態では、床下チャンバー２が高気密状態に構成されているため、吹出口６から吹き出される空気の風量が低減することがない。
【００３９】
一方、各部屋１３を循環した室内空気は、換気装置３によって、住宅の天井面に設けられた各吸気口８１から吸気ダクト８に吸気された後に排気ダクト９を介して排気口９１から室外へ排出される。このため、各部屋１３の中の空気は、常に新鮮な空気と入れ替えられるため、健康に配慮された住宅として長期的な居住が可能となる。
【００４０】
また、本実施形態では、換気装置３が、外気導入ダクト７から取り入れた外気と、吸気ダクト８から吸気した室内空気との間で熱交換を行っている。このため、冬期であれば、暖かい室内空気によって冷たい外気を暖めてから各部屋１３へ供給するため、各部屋１３の温度低下が抑制される。また、夏期であれば、冷房で冷やされた室内空気によって暖かい外気を冷やしてから各部屋１３へ供給するため、各部屋１３の温度上昇が抑制される。
【００４１】
以上のような本実施形態の床下チャンバー式炭パワークリーンシステム１によれば、以下のような効果を奏する。
１．外気と炭４の接触面積を大きくとることができるため、大量の炭を使用せずとも、効率的に外気の浄化・調湿を行うことができる。
２．部屋１３ごとに床下から収納室１０および部屋１３の中に向かって浄化・調湿された空気が吹き出し、室内を循環した室内空気は、住宅の天井面に設けられた吸気口８１から吸気される構造であるため、十分に住宅内を換気することができる。
３．吹出口６から吹き出した空気が直接肌に当たることがなく、快適に室内の換気を行うことができる。
４．二重に設けられた花粉・粉塵等除去フィルターによって、外気から簡易的に花粉・粉塵等を除去することができ、花粉症やアレルギー症状のある人も安心して居住することができる。
５．排気口９１から排気した室内空気を外気導入口７１から再び取り入れてしまう可能性が極めて低くなり、常に新鮮な外気を取り入れることができる。
【００４２】
なお、本発明に係る床下チャンバー式炭パワークリーンシステム１は、前述した実施形態に限定されるものではなく、適宜変更することができる。
【００４３】
例えば、上述した実施形態では、部屋１３を４室有するマンション等の集合住宅に適用した例を示したが、本発明に係る床下チャンバー式炭パワークリーンシステム１は、戸建住宅に適用することもでき、住宅の部屋数や部屋１３の位置に応じて各ダクトの配管位置や床下チャンバー数を変更することもできる。
【符号の説明】
【００４４】
１  床下チャンバー式炭パワークリーンシステム
２  床下チャンバー
３  換気装置
４  炭
４１  載置台
５  給気ダクト
５１  送風口
６  吹出口
６１  送風グリル
７  外気導入ダクト
７１  外気導入口
７２  花粉・粉塵等除去フィルター
８  吸気ダクト
８１  吸気口
９  排気ダクト
９１  排気口
１０  収納室
１１  収納ドア
１２  床
１３  部屋  
【図１】
2013257122.tif 000003
【図２】
2013257122.tif 000004
【図３】
2013257122.tif 000005
【図４】
2013257122.tif 000006
【図５】
2013257122.tif 000007